(57)【要約】      （修正有）【課題】かご室内の床面が汚れても水洗いによる洗浄を容易に行なうことができ、しかも洗浄作業により発生する汚水をピット室に滴下させることなくエレベータ装置の外に排出できるエレベータの乗りかごおよびその洗浄方法を提供する。【解決手段】昇降路１内を昇降する乗りかご２４は、かご室２５のかご床２６の床面が水洗い可能に構成されるとともに床面の周囲の縁部に排水路３２が形成されている。かご床２６には排水路３２に連通し、かご床２６を貫通する排水孔３３が設けられている。かご床２６の下部には、排水孔３３を介して排水路３２に連通する排水タンク３４が設けられている。かご床２６の床面が汚れている際には、水洗いによる洗浄を施し、その汚水を床面に設けた排水路３２に流し込めば、排水路３２から排水孔３３を介して排水タンク３４に溜めることができ、ピット室には滴下させないようにすることができる。【選択図】  図１
2005041619.tif 000002
【特許請求の範囲】
【請求項１】
昇降路内を昇降するエレベータの乗りかごであって、かご床の床面が水洗い可能に構成されるとともに床面の周囲の縁部に排水路が形成されたかご室と、前記かご床の排水路に連通するように前記かご床に設けられた排水孔と、前記かご床の下部に設けられ、前記排水孔を介して前記排水路に連通する排水タンクとを備えてなるエレベータの乗りかご。
【請求項２】
前記排水路の底面が前記排水孔に向かって下降する方向に傾斜して構成されていることを特徴とする請求項１に記載のエレベータの乗りかご。
【請求項３】
前記かご床の周囲に立設されたかご側板の下部に、水洗い可能な材質からなるキックプレートが交換可能に取付けられていることを特徴とする請求項１または２に記載のエレベータの乗りかご。
【請求項４】
前記排水タンクには、電磁弁を介して排水口が設けられ、この排水口が前記昇降路に設けられた排水容器に向けて配置されていることを特徴とする請求項１ないし３のいずれかに記載のエレベータの乗りかご。
【請求項５】
前記排水タンクの排水口は、前記かご室が所定の階に停止している状態で前記昇降路の排水容器に対向するように配置して構成され、前記かご室が所定の階に停止しているときに、前記かご室内の水洗いによる洗浄を行なうことを特徴とする請求項４に記載のエレベータの乗りかごの洗浄方法。
【発明の詳細な説明】
【０００１】
【発明の属する技術分野】
本発明は、かご床の洗浄に便利なエレベータの乗りかごおよびその洗浄方法に関する。
【０００２】
【従来の技術】
乗りかごが昇降路内を昇降して人荷を移送するエレベータにおいては、ペットの飼育が許可されている居住施設やペット専用施設に設置されることがある。
【０００３】
このようなエレベータでは、ペットが乗りかごのかご室内に搭乗した際に、糞尿を放出することがあり、かご室の床面上に糞尿が落下して床面を汚したり、糞尿を除去してもペット臭が残ったりすることがある。
【０００４】
また、魚介類の処理作業場や家畜を扱う建築物などに設置されたエレベータにおいても、乗りかごを利用して魚介類や家畜を搬送する際に、魚介類や家畜から洗浄処理水などの液体が滴下してかご室床面を汚したり、不快な臭いを発生させたりすることがある。
【０００５】
かご室の床面が汚れていたり、かご室内に臭いが残っていると、乗りかごを利用する利用客に不快感が生じるだけでなく、衛生面からも望ましくないので、乗りかごのかご室が汚れた際には、特に水洗いによる洗浄を行なうのが一般的である。
【０００６】
図４は、従来のエレベータの乗りかごにおける洗浄方法の一例を示す断面図である。図４において、昇降路１内を昇降する乗りかご２は、乗りかご２のかご室内の操作盤３や各階床の乗り場操作盤（図示せず）からの利用客の呼びに応じて各階の乗り場４で停止するようになっている。昇降路１の下部にはピット室５が設けられており、ピット室５の底部には乗りかご２が不測の事故により落下した際の衝撃を吸収し緩和するバッファ６が設けられている。
【０００７】
このようなエレベータにおいて、かご室のかご床７を洗浄する場合には、乗りかご２を最下階に停止させ、かご室内に作業員８が入り込んで、モップ９などの清掃道具を使って水洗いによる洗浄を行う方法が一般的に採用されている。
【０００８】
しかしながら、この場合にかご室内のかご床７を洗浄した汚水の管理を適切に行わないと、洗浄汚水がかご室内からピット室５内に滴下することがあり、ピット室５が不衛生となり、悪臭の発生の原因となるほか、ピット室５内のバッファ６等の機器に付着して錆びを発生させ、動作障害を発生させるおそれがある。
【０００９】
一方、このような問題を解決する手段として、図５に示すものが考えられている。図５は、従来のエレベータの乗りかごにおける洗浄方法の他の例を示す要部縦断面図である。図５において、乗りかご１０は、かご室１１の下部に下梁１２が設けられている。かご室１１は、かご床１３の周囲に幅木１４を介して側板１５が立設されており、側板１５の一側面には出入り口１６が設けられている。出入り口１６は、かご床１３に設けられた敷居１７上を移動するかご戸１８により開閉されるようになっている。
【００１０】
このかご室１１のかご床１３は、床面が中央に向かって下降する斜面１３ａで形成されており、その中央部にはスノコ状をなして多数の漏水孔１９ａを有する蓋板１９が設けられている。この蓋板１９の下方に位置するかご床１３の内部には、椀状の汚水溜め凹所２０が設けられ、汚水溜め凹所２０の中央部には、着脱自在な止め栓２１および排水パイプ２２を有する排水手段２３が設けられている。
【００１１】
上記のように構成されたエレベータの乗りかご１０においては、かご室１１内に搬送された、たとえば魚介類などの収納容器から処理水が溢れてかご床１３上に滴下し汚水となっても、その汚水は、蓋板１９の漏水孔１９ａを経て汚水溜め凹所２０に収容され、排水手段２３の排水パイプ２２から図示しない排水ホースを介してエレベータ装置外へ排出される。
【００１２】
また必要に応じて蓋板１９および止め栓２１を外してかご床１３内部も洗浄することができ、洗浄水を排水ホースによりエレベータ装置外へ排出できる。
【００１３】
【発明が解決しようとする課題】
上記のようなエレベータの乗りかごにおいては、水洗いによる洗浄作業が容易に行なえ、しかも水洗いによる洗浄を行ってもピット室内に洗浄水が滴下することがないので、かご室内およびピット室を衛生的に管理することができる。
【００１４】
しかしながら、かご床１３の床面が傾斜しているため、かご室１１内に台車等の搬送器具を搬入した際に、搬送器具が傾いて搬送器具に搭載している収納容器から処理水等が溢れて滴下し、汚水となりやすいという懸念がある。
【００１５】
また、たとえかご床１３が平坦であっても、かご室１１を構成するかご床１３と幅木１４の接合部や幅木１４どうしが互いに接合するコーナー部に、埃やゴミが溜まり易く、かつ埃やゴミが溜まった際の掃除がやりにくいといった懸念があった。
【００１６】
本発明は、上記の課題を解決するためになされたもので、かご室内の床面が汚れても水洗いによる洗浄を容易に行なうことができ、しかも洗浄作業により発生する汚水をピット室に滴下させることなくエレベータ装置の外に排出できるエレベータの乗りかごおよびその洗浄方法を提供することを目的とする。
【００１７】
【課題を解決するための手段】
本発明は、昇降路内を昇降するエレベータの乗りかごであって、かご床の床面が水洗い可能に構成されるとともに床面の周囲の縁部に排水路が形成されたかご室と、かご床の排水路に連通するようにかご床に設けられた排水孔と、かご床の下部に設けられ、排水孔を介して排水路に連通する排水タンクとを備えてなることを特徴とする。
【００１８】
このような構成を有するエレベータの乗りかごにあっては、かご床の床面が汚れている際には、水洗いによる洗浄を施し、その汚水を床面に設けた排水路に流し込めば、排水路から排水孔を介してかご室下方の排水タンクに溜めることができ、ピット室には滴下させないようにすることができる。
【００１９】
この場合、排水路の底面を排水孔に向かって傾斜するように構成することによって、汚水の流れを円滑にすることができる。
【００２０】
またかご床の周囲に立設された側板の下部に、水洗い可能な材質からなるキックプレートを交換可能に取付けることにより、汚れ易いかご床の周囲をキックプレートの洗浄や交換により、汚れの状態を容易に軽減させることができる。
【００２１】
さらに排水タンクには、電磁弁を介して排水口を設け、この排水口を昇降路に設けられた排水容器に向けて配置させることにより、必要なときに排水タンク内の汚水を排水容器に排出することができる。
【００２２】
また本発明によるエレベータの乗りかごの洗浄方法は、かご室が所定の階に停止している状態で排水タンクの排水口が昇降路の排水容器に対向するように配置して構成し、かご室が所定の階に停止しているときに、かご室内の水洗いによる洗浄を行なうことを特徴とする。
【００２３】
このようにすれば、洗浄作業による汚水を排水タンクから排水容器に連続して流し続けることができ、排水タンクを満杯にさせることなく、洗浄作業を行なうことができる。
【００２４】
【発明の実施の形態】
以下、本発明の実施の形態について図１ないし図３を参照して説明する。図１は、本発明の第１実施の形態にかかるエレベータの乗りかごを示す縦断面図であり、図２は、図１における乗りかごのかご室の一部およびかご戸を除去して示す斜視図である。
【００２５】
図１および図２において、昇降路１内を昇降する乗りかご２４は、かご室２５のかご床２６の周囲に幅木２７を介して側板２８が立設されており、この側板２８の一側面には出入り口２９が設けられている。この出入り口２９は、かご床２６に設けられた敷居３０上を移動するかご戸３１により開閉されるようになっている。
【００２６】
かご室２５のかご床２６は、床面が平らに構成されており、また床面の表面が水洗い可能なようにビニールやゴムなどの耐水性の軟質材によりコーティングされている。かご床２６の床面の周囲には、図２に示すように、かご床２６と幅木２７との接合部の近傍に位置する縁部に、連続した溝からなる排水路３２が形成されている。
【００２７】
このかご床２６の排水路３２の一部には、かご床２６を上下方向に貫通するように排水孔３３が設けられている。排水路３２の底面は、かご床２６の周囲において、この排水孔３３と対角線上に位置する部分が最も高く、排水孔３３に近付くにしたがって下降する傾斜面で構成されており、排水路３２に流入した汚水が排水路３２の傾斜面に沿って流れるようになっている。
【００２８】
排水孔３３が位置するかご床２６の下部には、排水孔３３を介して排水路３２に連通する排水タンク３４が設けられている。この排水タンク３４には、電磁弁３５を介して排水口３６が設けられている。この排水口３６は、かご室２５が最下階の乗り場４に停止した状態にあるときに、昇降路１のピット室５に設けられたラッパ状をなす排水容器３７に臨むように対向配置されている。排水容器３７は、排水パイプ３７ａを介してピット室５外の下水路や貯留槽に連通されている。これにより、かご室２５が最下階の乗り場３７に到着すると、その到着信号を受けて電磁弁３５が開放されることにより、自動的に排水タンク３４内の汚水が排水口３６から排水容器３７に排出され、エレベータ装置外の下水路や貯留槽へと導かれるようになっている。
【００２９】
上記のように構成されたエレベータにおいては、水洗い可能なかご床２６と幅木２７の接合部の近傍に位置するかご床２６の周囲に排水路３２が設けられていることにより、例えば、ペットと共に使用が許可されている施設に設置されたエレベータやペット専用エレベータにおいて、かご室２５内でペットなどが側板２８に向かって尿をした場合には、尿は側板２８から排水路３２に垂れ落ち、傾斜している排水路３２の底面を流れて排水孔３３に流れ込み、排水タンク３４に溜められる。また側板２８あるいはかご床２６に付着した尿を洗い流すために少量の水を流した場合においても、排水路３２から排水孔３３を経て排水タンク３４に溜められる。
【００３０】
定期的な洗浄作業により、かご室２５内に水を流して洗浄する場合においても、その汚水は、排水路３２から排水孔３３を経て排水タンク３４に溜められる。特にエレベータのかご床部分においては、かご床２６と幅木２７との接合部や幅木２７が互いに接合するコーナー部に埃やゴミが溜まり易いが、このような部分に対しても、定期的に水洗いによる洗浄を施すことにより、埃やゴミを除去してかご室２５内を清潔に、かつ衛生的に管理することができる。
【００３１】
そして排水タンク３４内に蓄積された汚水は、かご室２５が最下階の乗り場３７に到着した際に、その到着信号を受けて電磁弁３５が開放されることにより、排水容器３７に排出されるので、汚水をピット室５に滴下させることなく、エレベータ装置外へ排出させることができる。
【００３２】
集合住宅のエントランスや基準階などが最下階ならば、かご室２５が最下階の乗り場４に停止する回数が最も多いので、その都度、排水タンク３４内の排水が行なわれることにより、排水タンク３４内が汚水で満杯になることはない。またかご室２５が最下階に到着するごとに排水タンク３４を空にすることは、排水タンク３４内をある程度清潔に保つことにも繋がる。
【００３３】
図３は、本発明の第２実施の形態にかかるエレベータの乗りかごの主要部を拡大して示す縦断面図である。エレベータの乗りかご２４は、かご室２５の幅木２７や側板２８の下部が特に汚れ易いので、本実施の形態では、側板２８内側の化粧パネル３８の下部に、水洗い可能な材質からなりゴムやビニールなどの軟質材をコーティングしたキックプレート３９を交換可能に取付けて、側板２８下部に付着する汚れを低減するようにしたものである。
【００３４】
かご室２５には、第１実施の形態と同様に、かご床２６の周囲に排水路３２が設けられ、排水孔３３を介して排水タンク３４が設けられている。排水タンク３４は支持部材４０によりかご床２６の下部に支持され、排出口３３はかご室２５が最下階に到着した際に、ピット室５に設けられた排水容器３７に対向するように配置されている。
【００３５】
上記の構成を有するエレベータの乗りかごにおいては、キックプレート３９表面に軟質材がコーティングされているために汚れもつきにくくなり、しかもキックプレート３９の汚れや臭いがひどい場合には、キックプレート３９を取り外して水洗い洗浄することができ、更に洗浄しても汚れや臭いが落ちない場合には、キックプレート３９を交換することができるので、より一層かご室２５内を清潔にすることができる。
【００３６】
上記各実施の形態において、かご室２５が最下階に到着すると、電磁弁３５が開放され、排水タンク３４内の汚水が排水口３６から排水容器３７に連続して流される。この点を利用して、定期的または非定期的に行なう作業員による水洗い洗浄作業を、かご室２５が最下階で停止しているときに行なうようにすれば、洗浄用の水の使用量が多くなっても、排水タンク３４に汚水を溜めることなく連続して流し続けて排水容器３７に排出できるので、かご室２５内の洗浄作業を念入りに実施することも可能となる。
【００３７】
なお、排水容器３７を昇降路１から進退自在に構成したり、または排水タンク３４の排水口３６をかご室２５から側方に進退移動できるようにして、かご室２５の昇降に支障が生じないように構成すれば、かご室２５が最下階以外の所定の階に停止しているときに排水タンク３４から排水容器３７への排水を行なうことができる。
【００３８】
【発明の効果】
以上説明したように本発明によるエレベータの乗りかごによれば、かご室のかご床の床面を水洗い可能に構成するとともに床面の周囲の縁部に排水路を形成し、かご床の下部に排水路に連通する排水タンクを設けて構成したことにより、かご床の床面が汚れている際には、水洗いによる洗浄を施し、その汚水を床面に設けた排水路に流し込めば、排水路から排水孔を介してかご室下方の排水タンクに溜めることができ、ピット室には滴下させないようにすることができる。
【００３９】
また、本発明によるエレベータの乗りかごの洗浄方法によれば、かご室が所定の階に停止している状態で排水タンクの排水口が昇降路の排水容器に対向するように配置されているときに、かご室内の水洗いによる洗浄を行なうようにしたので、洗浄作業による汚水を排水タンクから排水容器に連続して流し続けることができ、排水タンクを満杯にさせることなく、洗浄作業を行なうことができる。
【図面の簡単な説明】
【図１】本発明の第１実施の形態にかかるエレベータの乗りかごを示す縦断面図である。
【図２】図１における乗りかごのかご室の一部およびかご戸を除去して示す斜視図である。
【図３】本発明の第２実施の形態にかかるエレベータの乗りかごの主要部を拡大して示す縦断面図である。
【図４】従来のエレベータの乗りかごにおける洗浄方法の一例を示す断面である。
【図５】従来のエレベータの乗りかごにおける洗浄方法の他の例を示す要部縦断面図である。
【符号の説明】
１…昇降路
２，１０，２４…乗りかご
３…操作盤
４…乗り場
５…ピット室
６…バッファ
７，１３，２６…かご床
８…作業員
９…モップ
１１，２５…かご室
１２…下梁
１３ａ…斜面
１４，２７…幅木
１５，２８…側板
１６，２９…出入り口
１７，３０…敷居
１８，３１…かご戸
１９…蓋板
１９ａ…漏水孔
２０…汚水溜め凹所
２１…止め栓
２２…排水パイプ
２３…排水手段
３２…排水路
３３…排水孔
３４…排水タンク
３５…電磁弁
３６…排水口
３７…排水容器
３７ａ…排水パイプ
【図１】
2005041619.tif 000003
【図２】
2005041619.tif 000004
【図３】
2005041619.tif 000005
【図４】
2005041619.tif 000006
【図５】
2005041619.tif 000007